(57)【特許請求の範囲】
【請求項１】
無線デバイスによってサポートされる複数の無線システムアクセス技術から無線通信システムアクセス技術を選択するための方法であって、
第１のグループの無線システムアクセス技術に関連するアクセス技術に関する識別情報を、第２のグループの無線システムアクセス技術を識別する第１の検索データベースに記憶することと、ここにおいて、前記第１の検索データベースへの前記第２のグループの無線システムアクセス技術の選択されたエントリは前記識別情報を含むように拡張される、
前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択することと、
を備える方法。
【請求項２】
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、請求項１に記載の方法。
【請求項３】
前記第１の検索データベースは、ＰＲＬとＰＬＭＮリストとのうちの一方を含む、請求項１に記載の方法。
【請求項４】
前記識別情報は、前記第１のグループの無線システムアクセス技術が、前記無線デバイスによってサポートされるかどうかに関する少なくとも情報を含む、請求項１に記載の方法。
【請求項５】
前記識別情報は、前記無線デバイスによってサポートされる前記第１のグループの無線システムアクセス技術内の１つまたは複数の無線アクセス技術に関する情報、をさらに含む、請求項４に記載の方法。
【請求項６】
前記無線通信システムアクセス技術を選択することは、
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索することと、
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択することと、
をさらに備え、選択することは、前記第１の検索データベースに記憶される少なくとも前記識別情報に基づいて前記第１の検索データベースを使用して実行される、請求項１に記載の方法。
【請求項７】
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査することと、なお前記第２の識別子は、前記決定された好ましいシステムアクセス技術に関連する前記第２のグループのシステムアクセス技術によって使用可能である；
前記マッピングテーブルの前記調査から決定される前記第２の識別子にさらに基づいて前記第１の検索データベースから前記好ましい無線通信システムアクセス技術を選択することと；
をさらに備える請求項６に記載の方法。
【請求項８】
前記第１の識別子は、ＳＩＤとＮＩＤとのうちの少なくとも一方を含み、そして前記第２の識別子は、ＭＣＣとＭＮＣとのうちの少なくとも一方を含む、請求項７に記載の方法。
【請求項９】
前記第１のグループは、３ＧＰＰ２アクセス技術とＷｉＭａｘアクセス技術とのうちの一方を含み、そして前記第２のグループは、３ＧＰＰアクセス技術を含む、請求項６に記載の方法。
【請求項１０】
前記第１の検索データベースは、少なくとも１つのＰＬＭＮリストを含み、そして前記第２の検索データベースは、ＰＲＬを含む、請求項６に記載の方法。
【請求項１１】
無線デバイスによってサポートされる複数の無線システムアクセス技術から無線通信システムアクセス技術を選択するための装置であって、
第１の検索データベースと、
第１のグループの無線システムアクセス技術に関連するアクセス技術に関する識別情報を、第２のグループの無線システムアクセス技術を識別する前記第１の検索データベースに記憶するように、ここにおいて、前記第１の検索データベースへの前記第２のグループの無線システムアクセス技術の選択されたエントリは前記識別情報を含むように拡張される、そして前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するように、構成された選択コントローラと、
を備える装置。
【請求項１２】
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、請求項１１に記載の装置。
【請求項１３】
前記第１の検索データベースは、ＰＲＬとＰＬＭＮリストとのうちの一方を含む、請求項１１に記載の装置。
【請求項１４】
前記識別情報は、前記第１のグループの無線システムアクセス技術が、前記無線デバイスによってサポートされるかどうかに関する少なくとも情報を含む、請求項１１に記載の装置。
【請求項１５】
前記識別情報は、前記無線デバイスによってサポートされる前記第１のグループの無線システムアクセス技術内の１つまたは複数の無線アクセス技術に関する情報、をさらに含む、請求項１４に記載の装置。
【請求項１６】
前記選択コントローラは、さらに、
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するように、そして
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するように、
構成されており、なお、前記第１の検索データベースに記憶される少なくとも前記識別情報に基づいて前記第１の検索データベースを使用して選択が実行される、請求項１１に記載の装置。
【請求項１７】
前記選択コントローラは、さらに、
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するように、なお前記第２の識別子は、前記決定された好ましいシステムアクセス技術に関連する前記第２のグループのシステムアクセス技術によって使用可能である；そして
前記マッピングテーブルの前記調査から決定される前記第２の識別子にさらに基づいて前記第１の検索データベースから前記好ましい無線通信システムアクセス技術を選択するように；
構成されている、請求項１６に記載の装置。
【請求項１８】
前記第１の識別子は、ＳＩＤとＮＩＤとのうちの少なくとも一方を含み、そして前記第２の識別子は、ＭＣＣとＭＮＣとのうちの少なくとも一方を含む、請求項１７に記載の装置。
【請求項１９】
前記第１のグループは、３ＧＰＰ２アクセス技術とＷｉＭａｘアクセス技術とのうちの一方を含み、そして前記第２のグループは、３ＧＰＰアクセス技術を含む、請求項１６に記載の装置。
【請求項２０】
前記第１の検索データベースは、少なくとも１つのＰＬＭＮリストを含み、そして前記第２の検索データベースは、ＰＲＬを含む、請求項１６に記載の装置。
【請求項２１】
無線デバイスによってサポートされる複数の無線システムアクセス技術から無線通信システムアクセス技術を選択するための装置であって、
少なくとも１つのプロセッサによって実行可能な命令を記憶するメモリと、
第１のグループの無線システムアクセス技術に関連するアクセス技術に関する識別情報を、第２のグループの無線システムアクセス技術を備える第１の検索データベースに記憶するように、ここにおいて、前記第１の検索データベースへの前記第２のグループの無線システムアクセス技術の選択されたエントリは前記識別情報を含むように拡張される、そして
前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するように、
前記メモリに記憶される前記命令を実行するように構成された少なくとも１つのプロセッサと、
を備える装置。
【請求項２２】
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、請求項２１に記載の装置。
【請求項２３】
前記第１の検索データベースは、ＰＲＬとＰＬＭＮリストとのうちの一方を含む、請求項２１に記載の装置。
【請求項２４】
前記識別情報は、前記第１のグループの無線システムアクセス技術が、前記無線デバイスによってサポートされるかどうかに関する少なくとも情報を含む、請求項２１に記載の装置。
【請求項２５】
前記識別情報は、前記無線デバイスによってサポートされる前記第１のグループの無線システムアクセス技術内の１つまたは複数の無線アクセス技術に関する情報、をさらに含む、請求項２４に記載の装置。
【請求項２６】
前記少なくとも１つのプロセッサは、さらに、
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するように、そして
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するように、
構成されており、前記第１の検索データベースに記憶される少なくとも前記識別情報に基づいて前記第１の検索データベースを使用して選択が実行される、請求項２１に記載の装置。
【請求項２７】
前記少なくとも１つのプロセッサは、さらに、
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するように、なお前記第２の識別子は、前記決定された好ましいシステムアクセス技術に関連する前記第２のグループのシステムアクセス技術によって使用可能である；そして
前記マッピングテーブルの前記調査から決定される前記第２の識別子にさらに基づいて前記第１の検索データベースから前記好ましい無線通信システムアクセス技術を選択するように；
構成されている、請求項２６に記載の装置。
【請求項２８】
前記第１の識別子は、ＳＩＤとＮＩＤとのうちの少なくとも一方を含み、そして前記第２の識別子は、ＭＣＣとＭＮＣとのうちの少なくとも一方を含む、請求項２７に記載の装置。
【請求項２９】
前記第１のグループは、３ＧＰＰ２アクセス技術とＷｉＭａｘアクセス技術とのうちの一方を含み、そして前記第２のグループは、３ＧＰＰアクセス技術を含む、請求項２６に記載の装置。
【請求項３０】
前記第１の検索データベースは、少なくとも１つのＰＬＭＮリストを含み、そして前記第２の検索データベースは、ＰＲＬを含む、請求項２６に記載の装置。
【請求項３１】
コンピュータに、第１のグループの無線システムアクセス技術に関連するアクセス技術に関する識別情報を、第２のグループの無線システムアクセス技術を備える第１の検索データベースに記憶するようにさせるためのコードと、ここにおいて、前記第１の検索データベースへの前記第２のグループの無線システムアクセス技術の選択されたエントリは前記識別情報を含むように拡張される、
コンピュータに、前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するようにさせるためのコードと、
を備える非一時的なコンピュータ可読媒体。
【請求項３２】
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、請求項３１に記載の非一時的なコンピュータ可読媒体。
【請求項３３】
前記第１の検索データベースは、ＰＲＬとＰＬＭＮリストとのうちの一方を含む、請求項３１に記載の非一時的なコンピュータ可読媒体。
【請求項３４】
前記識別情報は、前記第１のグループの無線システムアクセス技術が、前記無線デバイスによってサポートされるかどうかに関する少なくとも情報を含む、請求項３１に記載の非一時的なコンピュータ可読媒体。
【請求項３５】
前記識別情報は、前記無線デバイスによってサポートされる前記第１のグループの無線システムアクセス技術内の１つまたは複数の無線アクセス技術に関する情報、をさらに含む、請求項３４に記載の非一時的なコンピュータ可読媒体。
【請求項３６】
前記非一時的なコンピュータ可読媒体は、
コンピュータに、前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するようにさせるためのコードと、
コンピュータに、前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するようにさせるためのコードと、
をさらに備え、選択は、前記第１の検索データベースに記憶される少なくとも前記識別情報に基づいて前記第１の検索データベースを使用して実行される、請求項３１に記載の非一時的なコンピュータ可読媒体。
【請求項３７】
前記非一時的なコンピュータ可読媒体は、
コンピュータに、前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するようにさせるためのコードと、なお前記第２の識別子は、前記決定された好ましいシステムアクセス技術に関連する前記第２のグループのシステムアクセス技術によって使用可能である；
コンピュータに、前記マッピングテーブルの前記調査から決定される前記第２の識別子にさらに基づいて前記第１の検索データベースから前記好ましい無線通信システムアクセス技術を選択するようにさせるためのコードと；
をさらに備える、請求項３６に記載の非一時的なコンピュータ可読媒体。
【請求項３８】
前記第１の識別子は、ＳＩＤとＮＩＤとのうちの少なくとも一方を含み、そして前記第２の識別子は、ＭＣＣとＭＮＣとのうちの少なくとも一方を含む、請求項３７に記載の非一時的なコンピュータ可読媒体。
【請求項３９】
前記第１のグループは、３ＧＰＰ２アクセス技術とＷｉＭａｘアクセス技術とのうちの一方を含み、そして前記第２のグループは、３ＧＰＰアクセス技術を含む、請求項３６に記載の非一時的なコンピュータ可読媒体。
【請求項４０】
前記第１の検索データベースは、少なくとも１つのＰＬＭＮリストを含み、そして前記第２の検索データベースは、ＰＲＬを含む、請求項３６に記載の非一時的なコンピュータ可読媒体。
【請求項４１】
無線デバイスによってサポートされる複数の無線システムアクセス技術から無線通信システムアクセス技術を選択するための装置であって、
第１のグループの無線システムアクセス技術に関連するアクセス技術に関する識別情報を、第２のグループの無線システムアクセス技術を備える第１の検索データベースに記憶するための手段と、ここにおいて、前記第１の検索データベースへの前記第２のグループの無線システムアクセス技術の選択されたエントリは前記識別情報を含むように拡張される、
前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するための手段と、
を備える装置。
【請求項４２】
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、請求項４１に記載の装置。
【請求項４３】
前記第１の検索データベースは、ＰＲＬとＰＬＭＮリストとのうちの一方を含む、請求項４１に記載の装置。
【請求項４４】
前記識別情報は、前記第１のグループの無線システムアクセス技術が、前記無線デバイスによってサポートされるかどうかに関する少なくとも情報を含む、請求項４１に記載の装置。
【請求項４５】
前記識別情報は、前記無線デバイスによってサポートされる前記第１のグループの無線システムアクセス技術内の１つまたは複数の無線アクセス技術に関する情報、をさらに含む、請求項４４に記載の装置。
【請求項４６】
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するための手段と、
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するための手段と、
をさらに備え、前記第１の検索データベースに記憶される少なくとも前記識別情報に基づいて前記第１の検索データベースを使用して、選択することが実行される、請求項４１に記載の装置。
【請求項４７】
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するための手段と、なお前記第２の識別子は、前記決定された好ましいシステムアクセス技術に関連する前記第２のグループのシステムアクセス技術によって使用可能である；
前記マッピングテーブルの前記調査から決定される前記第２の識別子にさらに基づいて前記第１の検索データベースから前記好ましい無線通信システムアクセス技術を選択するための手段と；
をさらに備える請求項４６に記載の装置。
【請求項４８】
前記第１の識別子は、ＳＩＤとＮＩＤとのうちの少なくとも一方を含み、そして前記第２の識別子は、ＭＣＣとＭＮＣとのうちの少なくとも一方を含む、請求項４７に記載の装置。
【請求項４９】
前記第１のグループは、３ＧＰＰ２アクセス技術とＷｉＭａｘアクセス技術とのうちの一方を含み、そして前記第２のグループは、３ＧＰＰアクセス技術を含む、請求項４６に記載の装置。
【請求項５０】
前記第１の検索データベースは、少なくとも１つのＰＬＭＮリストを含み、そして前記第２の検索データベースは、ＰＲＬを含む、請求項４６に記載の装置。
【発明の詳細な説明】
【技術分野】
【０００１】
本開示は、マルチモード無線デバイスにおけるシステム選択のための方法および装置に関し、そしてより詳細には、異なる技術の間のデータベース情報の変換に基づいた、マルチモード無線デバイスにおけるシステム選択に関する。
【背景技術】
【０００２】
世界中の多数の無線技術の展開と、モバイルマルチモードデバイスまたはユーザ装置におけるこれらの技術についてのサポートと共に、国際ローミングの目標に向けてのシームレスなシステム選択についての必要性が高まりつつある。さらに、特定の任意の地理的地域は、第３世代パートナーシッププロジェクト(3rd Generation Partnership Project)（３ＧＰＰ）技術や第３世代パートナーシッププロジェクト２(3rd Generation Partnership Project 2)（３ＧＰＰ２）技術など、混在した技術およびネットワークをサポートすることができる。
【０００３】
混在した技術をサポートするモバイルマルチモードデバイスは、技術の内部で最適なネットワークを選択する際に使用される複数の(multiple)データベースを含むことができる。一例として、ある種のＣＤＭＡ２０００（符号分割多元接続(Code Division Multiple Access)２０００）ネットワークなどの第３世代パートナーシッププロジェクト２（すなわち、３ＧＰＰ２）技術では、モバイルデバイスに記憶される好ましいローミングリスト(Preferred Roaming List)（ＰＲＬ）データベースは、３ＧＰＰ２技術からのどのシステム／ネットワークが、そのデバイスについての地理的地域において好ましいか、についての情報を提供する。オーバーザエア(Over-the-air)（ＯＴＡ）管理プロトコルを経由してあらかじめ決定されていようと、またはプログラムされていようと、ＰＲＬは、好ましいネットワークについての情報と、それらが、ユーザのために選択されるべき順序と、を含む。３ＧＰＰ２技術についてのＰＲＬは、各地理的地域に関連するテーブルを有するように構築されることができ、この表は、次には、システム識別子／ネットワーク識別子（ＳＩＤ／ＮＩＤ）対によってキー入力され(keyed)、そして取得インデックス(acquisition index)に関連づけられるシステム記述のリストを含む。取得インデックスは、関連したシステムにおけるチャネル取得目的のためのＲＦチャネルのインデックス付けされたリストを含む取得テーブルＡＴに対するポインタとして使用される。
【０００４】
他方、移動通信用グローバルシステム(Global System for Mobile)（ＧＳＭ（登録商標））やＵＭＴＳ地上波無線アクセス(UMTS Terrestrial Radio Access)（ＵＴＲＡ）などの３ＧＰＰ技術では、公衆地上モバイルネットワーク(Public Land Mobile Networks)（ＰＬＭＮ）と名づけられた、好ましいネットワークの異なるように構築されたデータベースリストが、モバイルデバイスの加入者識別モジュール(Subscriber Identity Module)（ＳＩＭ）またはユニバーサル加入者識別モジュール(Universal Subscriber Identity Module)（ＵＳＩＭ）に記憶される。データベースの中のＰＬＭＮは、ＧＳＭ（登録商標）やＵＭＴＳの公衆地上モバイルネットワークなどの３ＧＰＰ技術を使用してサービスオペレータを一意的に識別するために、モバイル国コード(Mobile Country Code)（ＭＣＣ）（「ＭＣＣ／ＭＮＣタプル」としても知られている）と一緒に使用されるモバイルネットワークコード(Mobile Network Code)（ＭＮＣ）を含んでいる。
【０００５】
地理的ロケーションを通してローミングするときに、特に異なる使用可能なアクセス技術（例えば、３ＧＰＰおよび３ＧＰＰ２）を用いてエリアを通してローミングするときには、マルチモードデバイスが、最善の使用可能なシステムをシームレスに選択することが、望ましい。したがって、アクセス技術のうちの、よりシームレスで、そして効率的なシステム選択を達成する、既存のアクセス技術、ならびに可能な将来のアクセス技術、の間のマルチモードローミングのためのアクセス技術の選択についての管理が、有益であろう。
【発明の概要】
【０００６】
開示によれば、無線デバイスによってサポートされる複数の無線システムアクセス技術から無線通信システムアクセス技術を選択するための方法が、提供される。本方法は、その複数のうちの第１のグループの無線システムアクセス技術に関連するアクセス技術に関する識別情報をその複数のうちの第２のグループの無線システムアクセス技術に関連するアクセス技術の優先順位に関する第１の検索データベースに記憶すること、を含んでいる。本方法はまた、第一の検索データベースに記憶される少なくとも識別情報に基づいて、第１のグループの無線システムアクセス技術と、第２のグループの無線システムアクセス技術とのうちの一方から好ましい無線通信システムアクセス技術を選択すること、を含んでいる。
【０００７】
別の態様においては、無線デバイスによってサポートされる複数の無線システムアクセス技術から無線通信システムアクセス技術を選択するための装置が、開示される。本装置は、第１の検索データベースを含んでいる。さらに、本装置は、その複数のうちの第１のグループの無線システムアクセス技術に関連するアクセス技術に関する識別情報をその複数のうちの第２のグループの無線システムアクセス技術に関連するアクセス技術の優先順位に関する第１の検索データベースに記憶するように構成された選択コントローラ、を特徴とする。その選択コントローラはまた、第一の検索データベースに記憶される少なくとも識別情報に基づいて、第１のグループの無線システムアクセス技術と、第２のグループの無線システムアクセス技術とのうちの一方から好ましい無線通信システムアクセス技術を選択するように構成されてもいる。
【０００８】
さらに別の態様においては、無線デバイスによってサポートされる複数の無線システムアクセス技術から無線通信システムアクセス技術を選択するための装置が、開示される。本態様によれば、本装置は、少なくとも１つのプロセッサによって実行可能な命令を記憶するメモリを含んでいる。また、本装置は、その複数のうちの第１のグループの無線システムアクセス技術に関連するアクセス技術に関する識別情報をその複数のうちの第２のグループの無線システムアクセス技術に関連するアクセス技術の優先順位に関する第１の検索データベースに記憶するために、メモリに記憶される命令を実行するように構成された少なくとも１つのプロセッサを含んでいる。その少なくとも１つのプロセッサはまた、第一の検索データベースに記憶される少なくとも識別情報に基づいて、第１のグループの無線システムアクセス技術と、第２のグループの無線システムアクセス技術とのうちの一方から好ましい無線通信システムアクセス技術を選択するために、メモリに記憶される命令を実行するように構成されてもいる。
【０００９】
さらに別の態様によれば、コンピュータ可読媒体(computer-readable medium)を備えるコンピュータプログラムプロダクト(computer program product)が、開示される。本媒体は、コンピュータに、複数のうちの第１のグループの無線システムアクセス技術に関連するアクセス技術に関する識別情報を複数のうちの第２のグループの無線システムアクセス技術に関連するアクセス技術の優先順位に関する第１の検索データベースに記憶するように、させるためのコードを含んでいる。本媒体はまた、コンピュータに、第一の検索データベースに記憶される少なくとも識別情報に基づいて、第１のグループの無線システムアクセス技術と、第２のグループの無線システムアクセス技術とのうちの一方から好ましい無線通信システムアクセス技術を選択するように、させるためのコードを含んでいる。
【００１０】
さらに１つの他の態様によれば、無線デバイスによってサポートされる複数の無線システムアクセス技術から無線通信システムアクセス技術を選択するための装置が、開示される。本装置は、その複数のうちの第１のグループの無線システムアクセス技術に関連するアクセス技術に関する識別情報をその複数のうちの第２のグループの無線システムアクセス技術に関連するアクセス技術の優先順位に関する第１の検索データベースに記憶するための手段を含んでいる。本装置の中にはまた、第１の検索データベースに記憶される少なくとも識別情報に基づいて、第１のグループの無線システムアクセス技術と、第２のグループの無線システムアクセス技術とのうちの一方から好ましい無線通信システムアクセス技術を選択するための手段が、含まれる。
【図面の簡単な説明】
【００１１】
【図１】図１は、例示のマルチモードユーザ装置（ＵＥ）または他のモバイルデバイスのブロック図である。
【図２】図２は、図１のデバイスを用いたシステム選択において使用するための例示の方法の流れ図を示している。
【図３】図３は、図１におけるデータベース１０４などの検索データベースに記憶されることができる例示のＰＬＭＮリスト構造３００の少なくとも一部分を示している。
【図４】図４は、単一の地理的地域またはマーケット上の様々なレベルのサービスエリアと、オペレータのサービスとの一例を示している。
【図５】図５は、ＳＩＤ／ＮＩＤ識別子をＭＣＣ／ＭＮＣ識別子にマッピングする、または変換する例示のマッピングテーブルの少なくとも一部分を示している。
【図６】図６は、図１のデバイスを用いたシステム選択において使用するための別の例示の方法の流れ図を示している。
【図７】図７は、本開示によるシステム選択の一例を示すＰＲＬ、ＰＬＭＮリスト、およびマッピングテーブルを示している。
【図８】図８は、システム選択を実行するためのマルチモードユーザ装置（ＵＥ）または他のモバイルデバイスにおいて使用するための装置を示している。
【詳細な説明】
【００１２】
本開示の方法および装置は、既存の規格に対する最小限の変更を必要とすることにより差別化を提供し、そして後方互換性（backward compatibility）を保証する。特に本開示の方法および装置は、３ＧＰＰや３ＧＰＰ２など、異なるセルラー技術を通してネットワーク識別情報を変換する。これらの変換は、セルラーネットワークの好みに関する全体の順序を指定する能力をオペレータに提供する。次いで、モバイルデバイスは、使用可能なセルラーネットワークを正しい優先順位で分類し、そして最善のシステムを選択することができる。本発明は、最善の使用可能な無線技術を選択するようにマルチモードデバイスを支援することになる。さらに、本発明は、世界中のその加入者に対して効率的な、そして一貫したシステム選択経験を保証するようにホームキャリア(home carrier)を支援する。本発明は、キャリアが、既存の３ＧＰＰおよび３ＧＰＰ２のシステム選択メカニズムの上に構築することにより、後方互換性を保証しながら複雑なローミング関係を表現することを可能にする。
【００１３】
図１は、例示のマルチモードユーザ装置（ＵＥ）または他のモバイルデバイスのブロック図を示している。デバイス１００は、特に３ＧＰＰ技術の内部のシステムまたはネットワークの選択のために使用されるＰＬＭＮのリストを記憶するデータベース１０４を含むＳＩＭまたはユニバーサルＳＩＭ（ＵＳＩＭ）１０２を含む。ＰＬＭＮリストは、ＵＥ１００の配布に先立ってＳＩＭ１０２の中であらかじめ決定され、そして提供されることができ、そしてＳＩＭツールキットとＳＭＳとを使用したアップデートされたＯＴＡとすることもできることが注目される。同様に、マルチモードデバイスであるデバイス１００は、様々な３ＧＰＰ２技術の間で選択する際に使用するためのＰＲＬを記憶するデータベース１０６を含むこともできる。デフォルトのＰＲＬは、配布に先立ってＵＥ１００の中に提供され、サービスプログラミングツールを使用して店頭で(at the point of sales)プログラムされ、あるいは例としてＯＴＡＳＰを使用してＯＴＡでアップデートされることができる。ＰＲＬデータベース１０６は、ＳＩＭ１０８またはＲＵＩＭ（着脱可能加入者識別モジュール(Removable Subscriber Identity Module)）に位置することができ、あるいは代わりにＵＥ１００のハードウェアまたはモバイル装置(mobile equipment)（ＭＥ）と一体になっていることもできる。
【００１４】
ＵＥ１００は、特定のネットワーク／サービスとアクセスの技術との選択を制御する選択コントローラ(selection controller)（ＳＣ）１１０を含むこともできる。一態様によれば、ＳＣ１１０は、それが、別個のコントローラとしてであれ、あるいはＵＥ１００の中のデジタル信号プロセッサ(Digital Signal Processor)（ＤＳＰ）やマイクロプロセッサなどのプロセッサによって実行可能なソフトウェアまたはファームウェアとしてであれ、ハードウェアまたはモバイル装置（ＭＥ）１１２の一部分とすることができる。ＳＣ１１０のオペレーションと、如何にしてそれがシステム選択に影響を及ぼすかとについては、後に続けてさらに詳細に説明されることになる。
【００１５】
複数の技術（例えば、３ＧＰＰおよび３ＧＰＰ２）を通しての選択を管理するために、本開示は、システム選択のためにＰＲＬリストおよびＰＬＭＮリストを管理するために既存のメカニズムを利用する方法および装置を含む。一態様によれば、１つまたは複数の検索データベースは、相互参照し、または他のデータベースに変換するさらなる情報を用いて拡張されることができる。このようにして、１つの検索データベースは、複数のデータベースの代わりに１つのデータベースを調査することにより効率的なシステム選択のための技術の内部の最善の技術およびシステム／ネットワークの選択中に利用されることができる。
【００１６】
一例として、図２は、２つ以上の検索データベース（例えば、ＰＲＬリストおよびＰＬＭＮリスト）を有するユーザデバイス内のシステム選択のための例示の方法２００を示している。特に、方法２００は、図１におけるデバイス１００などの無線デバイスによってサポートされる複数の無線システムアクセス技術からの無線通信システムアクセス技術の選択を達成する。方法２００は、第１のブロック２０２を含み、ここで、第１のグループの無線システムアクセス技術（例えば、３ＧＰＰ２のグループの技術）に関連するアクセス技術に関する識別情報は、別の第２のグループの技術（例えば、３ＧＰＰ技術についてのＰＬＭＮのリスト）に関連する第１の検索データベースに記憶される。一例として、識別情報は、第１のグループの３ＧＰＰ２アクセス技術内のおのおののネットワークまたはシステムに関連する、あるいはそれを識別する拡張ビット（単数または複数）から成ることができる。したがって、この例においては、第１の検索データベースは、ＰＬＭＮのリストであり、そして第２のグループの無線システムアクセス技術（すなわち、３ＧＰＰ技術）に関連するアクセス技術の優先順位に関することになる。これは単に１つのインプリメンテーションにすぎないことと、３ＧＰＰ２技術についての識別情報を用いてＰＬＭＮのリストを拡張する代わりに、一代替案として、ＰＲＬリストが、一例として３ＧＰＰ技術についての識別情報を用いて拡張されることができることと、が注目される。したがって、図２の目的のための、第１のグループと、第２のグループとは、３ＧＰＰ、３ＧＰＰ２のそれぞれ一方、または他の適切な任意の技術グループとすることができ、そして第１のデータベースと、第２のデータベースとは、そのデータベースが関連するどのような技術グループ（例えば、３ＧＰＰについてのＰＬＭＮ、３ＧＰＰ２についてのＰＲＬなど）にも関連する検索データベース構造に対応することができる。
【００１７】
特定の例によれば、拡張ビット（単数または複数）は、検索データベースに記憶されるＰＬＭＮのリストの中のＰＬＭＮに関連するアクセス技術識別子(Access Technology Identifiers)（ＡＴＩＤ）に追加されることができる。一例として、図３は、図１の中のデータベース１０４などの検索データベースに記憶されることができる例示のＰＬＭＮリスト構造３００の少なくとも一部分を示している。リスト構造３００は、優先順位の番号付け、または順序付けを含み、ここで、リストは、最高から最低への優先順位が、エントリ１からある番号Ｎになる。リスト３００の中の各エントリ（例えば、第１のエントリ３０２）のエントリは、３ＧＰＰ技術（例えば、上記に説明されるような「第１のグループの無線システムアクセス技術」）のために選択されることができるＰＬＭＮに対応する。一例においては、単一のビットは、例として、３ＧＰＰ２やＷｉＭａｘなど、別のアクセス技術グループのサポートを示すためにリスト３００における１つまたは複数のＡＴＩＤに対して拡張し、または追加することができる。さらに、単一のビットは、無線アクセス技術グループ（例えば、３ＧＰＰ２）のサポートを示すために使用されることができる。代替案として、複数のビットは、無線アクセス技術グループ内の特定の無線アクセスのシステムまたはネットワークについてのさらなる情報を提供するために、リスト３００の中のＡＴＩＤに追加されることができる。例えば、３ＧＰＰ２がサポートされる場合、追加のビットは、３ＧＰＰ２のグループの技術のインスタンスにおける単なる例として、サポートされる、ｃｄｍａ２０００やＥＶ  ＤＯなどの技術を示すことができる。
【００１８】
図２に戻って参照すると、ブロック２０２において第１の検索データベースへの拡張を確立した後に、フローは、ブロック２０４へと進む。このブロックにおいて、第１のグループの無線システムアクセス技術と、第２のグループの無線システムアクセス技術とのうちの一方からの好ましい無線通信システムアクセス技術が、次いで、検索データベースに記憶される識別情報に基づいて選択される。言い換えれば、第１のデータベースは、一次検索データベースになる。例えば、図３のリストを仮定すると、選択コントローラ（例えば、図１におけるＳＣ１１０）は、ＡＴＩＤ情報に追加される拡張ビット（単数または複数）に基づいてＰＬＭＮリストの中に現存しているエントリからの３ＧＰＰ技術、または３ＧＰＰ２技術のいずれかを決定するためにＰＬＭＮリスト３００を使用することができる。選択コントローラ、または類似した機能モジュールは、次いで、一態様においてＡＴＩＤの拡張に基づいて３ＧＰＰ２のネットワークまたはシステムを検索すべきかどうかを決定するために、ＰＬＭＮリストにおける拡張情報を使用することができることが注目される。次いで、３ＧＰＰ２システムは、ＰＲＬを参照することにより、検索されることができる。さらに、見出される最善の３ＧＰＰシステムと、見出される最善の３ＧＰＰ２システムとの間に、競合が、生じる場合、この競合は、ＰＬＭＮリストまたはＰＲＬのいずれかに対するあらかじめ決定された優先順位に基づいて解決されることができることが、このシナリオにおいては企図される。
【００１９】
別の態様によれば、図３の中のＰＬＭＮリスト３００の構造を用いて、追加ビットがＰＬＭＮ  ＡＴＩＤに対する拡張と共に使用される場合に、ＰＲＬは、除去されることができることが、企図される。したがって、選択コントローラは、デバイスがローミングしているときに、どれが、検索すべき最善の３ＧＰＰ２システムであるかを決定することができ、そして、どの３ＧＰＰ２システムが好ましいかを知るように構成されることになる。
【００２０】
さらに別の態様においては、検索データベースを拡張する例は、３ＧＰＰシステムと３ＧＰＰ２システム（またはＷｉＭａｘなど、他の技術）との両方が、識別のためにＭＣＣ／ＭＮＣタプル(tuples)によって識別されることができるように、ＰＬＭＮリストを記憶することが、企図される。したがって、３ＧＰＰ２システムのオペレータは、システム識別のためにＭＣＣ／ＭＮＣを利用することになる。３ＧＰＰ２ネットワークが、拡張システムパラメータメッセージ(Extended System Parameter Message)（ＥＳＰＭ）の中でＭＣＣおよびＭＮＣの情報フィールドをブロードキャストするように適合されることができることと、さらにＰＲＬが、ユーザ装置（ＵＥ）の中の検索データベース内のシステムレコードの中にＭＣＣ／ＭＮＣを含むことになることとが、さらに、この使用に関連して企図される。一例においては、ＰＲＬは、地理的地域において見出される最善の３ＧＰＰ２システムのＭＣＣ／ＭＮＣをＵＥの中の選択コントローラに対して発行することができる。順に、選択コントローラは、次いで、３ＧＰＰシステムと３ＧＰＰ２（またはＷｉＭａｘ）システムとの間の優先順位を決定するためにＰＬＭＮリストについてのＰＬＭＮデータベースなどの一次検索データベースを調査することになる。
【００２１】
上記で述べられるように、例えば、３ＧＰＰ２ネットワークが、拡張システムパラメータメッセージ（ＥＳＰＭ）、または同等物の中のＭＣＣおよびＭＮＣの情報フィールド、ならびにユーザ装置（ＵＥ）の中の検索データベース内のシステムレコードの中のＭＣＣ／ＭＮＣを含むＰＲＬをブロードキャストするように適合されることができることが、企図される。しかしながら、３ＧＰＰ２ネットワークの必ずしもすべてのオペレータが、ＭＣＣ／ＭＮＣ情報をブロードキャストするとは限らない、またはＰＲＬが、これに関して不完全である場合、最善の使用可能な、または好ましい技術の選択（例えば、３ＧＰＰ技術または３ＧＰＰ２技術の間の選択）が、完了されることができない可能性があるという状況が、生ずる可能性がある。
【００２２】
例示の目的のために、図４は、様々なレベルのサービスエリアと、ただ１つの地理的地域またはマーケットの上のオペレータのサービスと、を示している。マーケット４００と、マーケット４００の中の様々なサービスエリア４０２との内部で、オペレータＡは、レベル４０６によって示されるように、西部（４１０）におけるＬＴＥと、東部（４１２）における１ｘＥＶＤＯと、を提供する可能性がある。別のオペレータ、オペレータＢは、レイヤ４０８によって示されるように、東部におけるＬＴＥ（４１４）と、西部におけるＵＭＴＳ（４１６）とを提供する可能性がある。ＬＴＥが、オペレータＡに加入するＵＥにおいてＰＬＭＮ優先順位の観点で１ｘＥＶＤＯにとって好ましいことを仮定すると、ＵＥ加入者が、東部に移動するときに、ＭＣＣ／ＭＮＣ情報が失われている場合に、オペレータＡのＥＶ  ＤＯネットワークではなくて、オペレータＢのＬＴＥネットワークが、選択されることになる。しかしながら、そのような場合には、アクセス技術の好み（すなわち、異なるアクセス技術グループ３ＧＰＰ２のオペレータＡのＥＶ  ＤＯネットワーク）は、選択されない。
【００２３】
上記の状況を改善するために、別の態様においては、ＵＥ、そしてより詳細には選択コントローラは、さらに、複数の無線アクセス技術（例えば、３ＧＰＰおよび３ＧＰＰ２）からの好ましいシステムまたはネットワークの間で選択するために、データベース（例えば、ＰＲＬリストおよびＰＬＭＮリスト）の間で調停する(arbitrate)ように構成されていることができる。特に、本開示の装置および方法は、第２のグループの無線システムアクセス技術に関連する第２の識別子（例えば、３ＧＰＰ技術についてのＭＣＣ／ＭＮＣ）に対する第１のグループの無線システムアクセス技術についてのシステムアクセス技術に関連する識別子（例えば、３ＧＰＰ２アクセス技術についてのＳＩＤ／ＮＩＤ）のマッピングを達成する。
【００２４】
そのようなマッピングの一例として、図５は、ＳＩＤ／ＮＩＤの組合せをＭＣＣ／ＭＮＣ対に相互に関連づけ、あるいはマッピングするマッピングテーブル５００を示している。図示されるように、テーブル５００の中の番号付けされた行エントリ（例えば、行エントリ１ないしＮ）のおのおのは、関連するＳＩＤおよび／またはＮＩＤ（例えば、Ｓ１、Ｎ２）を有するそれぞれのネットワークまたはシステムに対応する。各行は、そのときにＳＩＤ／ＮＩＤを関連するＭＣＣ／ＭＮＣ値（例えば、Ｃ１、Ｗ１）に相互に関連づける。このテーブル５００は、ＵＥ内で、ＰＲＬデータベースまたは対応するＳＩＭ、ＰＬＭＮリストデータベースまたは対応するＳＩＭ、あるいは選択コントローラと通信する別のメモリまたはデータベースに記憶されることができることが注目される。さらに、テーブル５００は、特定のキャリアによって構築され、そしてＵＥと共に含められるか、あるいは３ＧＰＰオペレータまたは３ＧＰＰ２オペレータのいずれかからＯＴＡ通信（例えば、ＯＴＡＳＰ）を経由してプログラムされ、またはアップデートされるかのいずれかとすることができることが注目される。
【００２５】
ＰＬＭＮリストのＡＴＩＤが、３ＧＰＰ２をサポートするように拡張されている場合の一例を仮定すると、ＰＬＭＮリストは、それ故に、ＭＣＣ／ＭＮＣを使用することができる３ＧＰＰ２オペレータを含むことになる。図６は、無線アクセス技術の選択を決定する選択コントローラ（例えば、図１の中のＳＣ１１０）によって達成されることができる例示の方法６００を示している。この特定の例においては、第２のグループの技術（すなわち、３ＧＰＰ）に関連する第１のデータベースが、ここにおいて以上で開示される方法と同様に、拡張されている（すなわち、ＰＬＭＮリストＡＴＩＤが、拡張される）ことが、仮定される。したがって、方法６００は、ブロック６０２によって示されるように第１のグループのアクセス技術（すなわち、３ＧＰＰ２）に関する第１の検索データベース（すなわち、ＰＬＭＮ）に拡張情報を記憶すること、を含んでいる。
【００２６】
ブロック６０２のオペレーションの後に、フローは、ブロック６０４へと進み、ここで、ＵＥが現在位置している特定の地理的ロケーションの中でサポートされる第１のグループ（すなわち、３ＧＰＰ２）内の最善の、または好ましいシステムアクセス技術が選択されるべきかどうかを決定するために、第１のグループの無線システムアクセス技術（すなわち、３ＧＰＰ２）に関連するアクセス技術の少なくとも優先順位に関する第２の検索データベース（すなわち、ＰＲＬ）が、検索され、または調査される。ブロック６０４のプロセスは、選択コントローラ（例えば、ＳＣ１１０）、あるいは他の類似したデバイスまたは機能モジュールによってインプリメントされることができる。これらの第１のグループの技術（すなわち、３ＧＰＰ２についてのＰＲＬ）は、ＭＣＣ／ＭＮＣまたはＳＩＤ／ＮＩＤのいずれかに基づいた識別情報を有することができることが注目される。
【００２７】
ＭＣＣ／ＭＮＣがＰＲＬデータベースまたはＰＬＭＮデータベースのいずれかから知られている場合、選択は、ブロック６０４の中のオペレーションに基づいて、決定される好ましいアクセス技術について行われることができることが注目される。ＭＣＣ／ＭＮＣが、ＰＲＬデータベースまたはＰＬＭＮデータベースから使用可能でない場合に、方法６００は、次いで、ブロック６０６によって示されるように、第１のアクセス技術グループ（すなわち、３ＧＰＰ２）のＳＩＤ／ＮＩＤを第２のアクセス技術グループ（すなわち、３ＧＰＰ）についての使用可能な対応するＭＮＣ／ＭＣＣ対に変換するマッピングテーブル５００を調査するように構成されている。次いで、選択コントローラは、ブロック６０８に示されるように、ＰＬＭＮリストの中の好みの順序に基づいて変換された３ＧＰＰ２を選択すべきかどうかを決定するために、ＰＬＭＮリストを検索することができ、これは、図２に示されるブロック２０４に類似している。ブロック６０６および６０８のプロセスは、ＳＣ１１０、あるいは類似したデバイスまたは機能モジュールによって達成されることができることが注目される。
【００２８】
図４の例示の中の例に戻って参照すると、そして図６の方法に照らしてみると、オペレータＡのＵＥ加入者が、東部のサービスエリアへと移動するときに、ＵＥの中のＰＲＬは、図７における例示のＰＲＬ７０２によって示されるように、どのネットワークまたはシステムが好ましいかを決定するために調査されることができる。与えられた例においては、選択コントローラは、特定の地理的ロケーションにおけるベース３ＧＰＰ２システムを決定するために取得テーブル７０４およびシステムテーブル７０６を調査することになり、この地理的ロケーションは、この特定の例においては「東部」である（それ故に、特定のシステムテーブル７０６は、この地理的ロケーションだけに関連することになる）。１という取得インデックスは、この特定の例においてはより好ましいものになるので、セルラーＣＤＭＡ技術（すなわち、３ＧＰＰ２技術）は、ローミングインジケータがオンであるときに他のネットワークタイプの上で選択されるべきである。
【００２９】
ＭＣＣ／ＭＮＣが、３ＧＰＰ情報を含むように拡張されるＰＬＭＮリストの中で知られていない場合、そのときには選択コントローラは、ＳＩＤ／ＮＩＤのＳ１およびＮ１を３１０／２のＭＣＣ／ＭＮＣに変換するために、ＳＩＤ／ＮＩＤからＭＣＣ／ＭＮＣへのマッピングテーブル７０８を調査する。この情報に基づいて、選択コントローラが、好ましいネットワークまたはシステムの選択のためにＰＬＭＮリスト７１０を参照するときに、３ＧＰＰ２技術（例えば、図４において見られることができるような１ｘＥＶＤＯ４１４）に対応する東部エリアについてのＭＣＣ／ＭＮＣ３１０／２は、同じ地理的「東部」ロケール(locale)におけるオペレータＢのＬＴＥ４１６よりも好ましいことを理解することができる。したがって、好ましい３ＧＰＰ２アクセス技術が、選択されることになり、このようにして図４の例の考察において上記で提示されたシナリオを訂正する。
【００３０】
ＰＲＬとＰＬＭＮとの間のさらなる競合の場合に、一例として、ＰＬＭＮ優先順位についてのＰＲＬ優先化(PRL override)など、さらなるルールが、３ＧＰＰ２システムでは利用されることができることが注目される。また、３ＧＰＰ２ローミングパートナーが、相関関係にあるＭＣＣ／ＭＮＣを有さないときに、追加のトリアージデータベース(triage database)（図示されず）が、ＭＣＣ／ＭＮＣとＳＩＤ／ＮＩＤとの両方の対の上のサービスについての順序の基礎になるように構築されることができることも企図される。
【００３１】
図８は、システム選択を実行するマルチモードユーザ装置（ＵＥ）または他のモバイルデバイスの中で使用するための装置８００を示している。例えば、ＵＥまたはモバイルデバイスの中にインプリメントされることができる装置８００は、第１のグループの無線システムアクセス技術（例えば、３ＧＰＰ２）に関連するアクセス技術の優先順位に関する識別情報を第２のグループの無線システムアクセス技術（例えば、３ＧＰＰ）に関連するアクセス技術の優先順位に関する第１の検索データベース８０４に記憶するためのモジュール８０２を含んでいる。モジュール８０２への、そしてモジュール８０２からの情報は、バス８０６、または他の類似した適切な通信結合を経由して通信されることが注目される。モジュール８０２は、図１の中の選択コントローラ１１０、ＤＳＰなど、ＭＥ１１２の中の他のコンポーネント、または他の適切な任意のデバイスによってインプリメントされることができることが注目される。
【００３２】
装置８００は、第１の検索データベースに記憶される少なくとも識別情報に基づいて、第１のグループの無線システムアクセス技術と、第２のグループの無線システムアクセス技術とのうちの一方から、好ましい無線通信システムアクセス技術を選択するためのモジュール８０８をさらに含んでいる。したがって、モジュール８０８は、選択を行うためにバス８０６を経由して第１のデータベース８０４と通信する。モジュール８０８は、図１の中の選択コントローラ１１０、または他の適切な任意のデバイスによってインプリメントされることができることが注目される。
【００３３】
好ましいシステムアクセス技術が、無線デバイスの現在の地理的ロケーションについて第１のグループの無線システムアクセス技術から選択されることができるかどうかを決定するために、第１のグループの無線システムアクセス技術（例えば、３ＧＰＰ２）に関連するアクセス技術の優先順位に関する第２の検索データベース８１２（例えば、ＰＲＬ）を検索するためのモジュール８１０もまた、含まれる。機能モジュール８１２の効果の一例として、参照が、図７の例に対して行われ、ここで、ＰＲＬ７０２は、地理的地域において好ましい３ＧＰＰ２技術を決定するために調査され、あるいは検索される。モジュール８１０は、図１の中の選択コントローラ１１０、または他の適切な任意のデバイスによってインプリメントされることができることが注目される。
【００３４】
また、装置８００は、オプショナルなマッピングテーブル８１４を含むことができ、このマッピングテーブルは、データベースの中に、またはメモリの中に存在することができる。マッピングテーブル８１４を調査するためのモジュール８１６はまた、第１のグループの無線システムアクセス技術から選択されることができる好ましいシステムアクセス技術に関連する第２の識別子を決定するために含められる。マッピングテーブル８１４は、上記で説明されるマッピングテーブル５００または７０８に類似していることが注目される。さらに、モジュール８１６は、図１の中の選択コントローラ１１０、または他の適切な任意のデバイスによってインプリメントされることができることが注目される。
【００３５】
最後に、コンピュータ可読な媒体またはメモリデバイス８１８は、装置８００の中の１つまたは複数の他のモジュールのプロセスおよび動作を達成するためのコンピュータ可読な命令およびデータを記憶するように構成されていることが注目される。さらに、装置８００は、メモリ８１８の中のコンピュータ可読命令を実行するプロセッサ８２０を含むことができ、そして装置８００の中の様々なモジュールの１つまたは複数の機能を実行するように構成されていることができる。
【００３６】
当業者によって理解されるように、上記で説明された方法および装置は、マルチモードデバイスが、効率的な方法で地理的ロケーションの中の最善の使用可能な無線アクセス技術を選択することを支援する。さらに、本開示の方法および装置は、既存の３ＧＰＰおよび３ＧＰＰ２のシステム選択メカニズム（すなわち、ＰＬＭＮリストおよびＰＲＬ）の上で構築することによって後方互換性を保証しながら、キャリアが、複雑なローミング関係を表現することを可能にすることにより、ホームキャリアが、世界中のその加入者に対して効率的で一貫したシステム選択経験を保証することを支援することができる。
【００３７】
開示されるプロセスにおけるステップの特定の順序または階層は、例示のアプローチの一例であることが、理解される。設計の好みに基づいて、プロセスにおけるステップの特定の順序または階層は、本開示の範囲内に留まりながら再構成されることができることが、理解される。添付の方法請求項は、様々なステップの要素を例示の順序で提示しており、そして提示される特定の順序または階層だけに限定されるようには意味されない。
【００３８】
当業者は、情報および信号が、様々な異なる技術および技法のうちのどれかを使用して表されることができることを理解するであろう。例えば、上記の説明全体を通して参照されることができるデータ、命令、コマンド、情報、信号、ビット、シンボル、およびチップは、電圧、電流、電磁波、磁気の場または粒子、光学的な場または粒子、あるいはそれらの任意の組合せによって表されることができる。
【００３９】
当業者は、さらに、ここにおいて開示される実施形態に関連して説明される様々な例示の論理ブロック、モジュール、回路、およびアルゴリズムステップが、電子ハードウェア、コンピュータソフトウェア、または両方の組合せとしてインプリメントされることができることを理解するであろう。ハードウェアとソフトウェアとのこの交換可能性を明確に示すために、様々な例示のコンポーネント、ブロック、モジュール、回路、手段およびステップが、それらの機能の観点で上記に一般的に説明されている。そのような機能が、ハードウェアとしてインプリメントされるか、またはソフトウェアとしてインプリメントされるかは、特定のアプリケーションと、全体的なシステムに課される設計制約条件とに依存する。当業者は、特定の各アプリケーションについて変化するやり方で、説明された機能をインプリメントすることができるが、そのようなインプリメンテーションの決定は、本開示の範囲からの逸脱(departure)を引き起こすものとしては解釈されるべきではない。
【００４０】
ここにおいて開示される実施形態に関連して説明される様々な例示の論理ブロック、モジュール、および回路は、ここにおいて説明される機能を実行するように設計された汎用プロセッサ、デジタル信号プロセッサ（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブル論理デバイス、ディスクリートなゲートまたはトランジスタの論理、ディスクリートハードウェアコンポーネント(discrete hardware components)、あるいはそれらの任意の組合せ、を用いてインプリメントされ、または実行されることができる。汎用プロセッサは、マイクロプロセッサであってもよいが、代替案においては、プロセッサは、従来の任意のプロセッサ、コントローラ、マイクロコントローラ、または状態機械であってもよい。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、としてインプリメントされることもできる。
【００４１】
ここにおいて開示される実施形態に関連して説明される方法またはアルゴリズムのステップは、ハードウェアの形で直接に、プロセッサによって実行されるソフトウェアモジュールの形で、あるいはそれら２つの組合せの形で、実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の中に存在することができる。例示のストレージ媒体（図示されず）は、プロセッサが、ストレージ媒体から情報を読み取り、そしてストレージ媒体に情報を書き込むことができるように、プロセッサに結合されることができる。代替案においては、ストレージ媒体は、プロセッサと一体になっていることもできる。プロセッサとストレージ媒体とは、ＡＳＩＣの中に存在することができる。ＡＳＩＣは、ユーザ端末に存在することができる。代替案においては、プロセッサとストレージ媒体とは、ユーザ端末の中の個別コンポーネントとして存在することもできる。
【００４２】
上記で説明される例は、単なる例にすぎず、そして当業者は、今や、ここにおいて開示される発明の概念を逸脱することなく、上記で説明された例の多数の使用と、それらの例からの発展(departures)とを行うことができる。これらの例に対する様々な修正は、当業者にとっては簡単に明らかになることができ、そしてここにおいて定義される包括的な原理は、ここにおいて説明される新規の態様の精神または範囲から逸脱することなく、例えば、インスタントメッセージングサービス、または任意の汎用無線データ通信アプリケーションにおける他の例に適用されることができる。したがって、本開示の範囲は、ここにおいて示される例だけに限定されるようには意図されず、ここにおいて開示される原理および新規の特徴と整合した最も広い範囲を与えられるべきである。「例示の(exemplary)」という言葉は、「１つの例、インスタンス、または例証としての機能を果たすこと」を意味するように、ここにおいて排他的に使用されることが注目される。「例示の」としてここにおいて説明されるどのような例も、必ずしも他の例よりも好ましい、または有利であるとして解釈されるべきであるとは限らない。したがって、ここにおいて説明される新規の態様は、添付の特許請求の範囲についての範囲だけによって定義されるべきである。
下記に、本願出願時の請求項１−５０に対応する記載が付記１−５０として表記される。
付記１
無線デバイスによってサポートされる複数の無線システムアクセス技術から無線通信システムアクセス技術を選択するための方法であって、
前記複数のうちの第１のグループの無線システムアクセス技術に関連するアクセス技術に関する識別情報を前記複数のうちの第２のグループの無線システムアクセス技術に関連するアクセス技術の優先順位に関する第１の検索データベースに記憶することと、
前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択することと、
を備える方法。
付記２
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、付記１に記載の方法。
付記３
前記第１の検索データベースは、ＰＲＬとＰＬＭＮリストとのうちの一方を含む、付記１に記載の方法。
付記４
前記識別情報は、前記第１のグループの無線システムアクセス技術が、前記無線デバイスによってサポートされるかどうかに関する少なくとも情報を含む、付記１に記載の方法。
付記５
前記識別情報は、前記無線デバイスによってサポートされる前記第１のグループの無線システムアクセス技術内の１つまたは複数の無線アクセス技術に関する情報、をさらに含む、付記４に記載の方法。
付記６
前記無線通信システムアクセス技術を選択することは、
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索することと、
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択することと、
をさらに備え、選択することは、前記第１の検索データベースに記憶される少なくとも前記識別情報に基づいて前記第１の検索データベースを使用して実行される、付記１に記載の方法。
付記７
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査することと、なお前記第２の識別子は、前記決定された好ましいシステムアクセス技術に関連する前記第２のグループのシステムアクセス技術によって使用可能である；
前記マッピングテーブルの前記調査から決定される前記第２の識別子にさらに基づいて前記第１の検索データベースから前記好ましい無線通信システムアクセス技術を選択することと；
をさらに備える付記６に記載の方法。
付記８
前記第１の識別子は、ＳＩＤとＮＩＤとのうちの少なくとも一方を含み、そして前記第２の識別子は、ＭＣＣとＭＮＣとのうちの少なくとも一方を含む、付記７に記載の方法。
付記９
前記第１のグループは、３ＧＰＰ２アクセス技術とＷｉＭａｘアクセス技術とのうちの一方を含み、そして前記第２のグループは、３ＧＰＰアクセス技術を含む、付記６に記載の方法。
付記１０
前記第１の検索データベースは、少なくとも１つのＰＬＭＮリストを含み、そして前記第２の検索データベースは、ＰＲＬを含む、付記６に記載の方法。
付記１１
無線デバイスによってサポートされる複数の無線システムアクセス技術から無線通信システムアクセス技術を選択するための装置であって、
第１の検索データベースと、
前記複数のうちの第１のグループの無線システムアクセス技術に関連するアクセス技術に関する識別情報を前記複数のうちの第２のグループの無線システムアクセス技術に関連するアクセス技術の優先順位に関する前記第１の検索データベースに記憶するように、そして前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するように、構成された選択コントローラと、
を備える装置。
付記１２
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、付記１１に記載の装置。
付記１３
前記第１の検索データベースは、ＰＲＬとＰＬＭＮリストとのうちの一方を含む、付記１１に記載の装置。
付記１４
前記識別情報は、前記第１のグループの無線システムアクセス技術が、前記無線デバイスによってサポートされるかどうかに関する少なくとも情報を含む、付記１１に記載の装置。
付記１５
前記識別情報は、前記無線デバイスによってサポートされる前記第１のグループの無線システムアクセス技術内の１つまたは複数の無線アクセス技術に関する情報、をさらに含む、付記１４に記載の装置。
付記１６
前記選択コントローラは、さらに、
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するように、そして
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するように、
構成されており、なお、前記第１の検索データベースに記憶される少なくとも前記識別情報に基づいて前記第１の検索データベースを使用して選択が実行される、付記１１に記載の装置。
付記１７
前記選択コントローラは、さらに、
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するように、なお前記第２の識別子は、前記決定された好ましいシステムアクセス技術に関連する前記第２のグループのシステムアクセス技術によって使用可能である；そして
前記マッピングテーブルの前記調査から決定される前記第２の識別子にさらに基づいて前記第１の検索データベースから前記好ましい無線通信システムアクセス技術を選択するように；
構成されている、付記１６に記載の装置。
付記１８
前記第１の識別子は、ＳＩＤとＮＩＤとのうちの少なくとも一方を含み、そして前記第２の識別子は、ＭＣＣとＭＮＣとのうちの少なくとも一方を含む、付記１７に記載の装置。
付記１９
前記第１のグループは、３ＧＰＰ２アクセス技術とＷｉＭａｘアクセス技術とのうちの一方を含み、そして前記第２のグループは、３ＧＰＰアクセス技術を含む、付記１６に記載の装置。
付記２０
前記第１の検索データベースは、少なくとも１つのＰＬＭＮリストを含み、そして前記第２の検索データベースは、ＰＲＬを含む、付記１６に記載の装置。
付記２１
無線デバイスによってサポートされる複数の無線システムアクセス技術から無線通信システムアクセス技術を選択するための装置であって、
少なくとも１つのプロセッサによって実行可能な命令を記憶するメモリと、
前記複数のうちの第１のグループの無線システムアクセス技術に関連するアクセス技術に関する識別情報を前記複数のうちの第２のグループの無線システムアクセス技術に関連するアクセス技術の優先順位に関する第１の検索データベースに記憶するように、そして
前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するように、
前記メモリに記憶される前記命令を実行するように構成された少なくとも１つのプロセッサと、
を備える装置。
付記２２
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、付記２１に記載の装置。
付記２３
前記第１の検索データベースは、ＰＲＬとＰＬＭＮリストとのうちの一方を含む、付記２１に記載の装置。
付記２４
前記識別情報は、前記第１のグループの無線システムアクセス技術が、前記無線デバイスによってサポートされるかどうかに関する少なくとも情報を含む、付記２１に記載の装置。
付記２５
前記識別情報は、前記無線デバイスによってサポートされる前記第１のグループの無線システムアクセス技術内の１つまたは複数の無線アクセス技術に関する情報、をさらに含む、付記２４に記載の装置。
付記２６
前記少なくとも１つのプロセッサは、さらに、
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するように、そして
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するように、
構成されており、前記第１の検索データベースに記憶される少なくとも前記識別情報に基づいて前記第１の検索データベースを使用して選択が実行される、付記２１に記載の装置。
付記２７
前記少なくとも１つのプロセッサは、さらに、
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するように、なお前記第２の識別子は、前記決定された好ましいシステムアクセス技術に関連する前記第２のグループのシステムアクセス技術によって使用可能である；そして
前記マッピングテーブルの前記調査から決定される前記第２の識別子にさらに基づいて前記第１の検索データベースから前記好ましい無線通信システムアクセス技術を選択するように；
構成されている、付記２６に記載の装置。
付記２８
前記第１の識別子は、ＳＩＤとＮＩＤとのうちの少なくとも一方を含み、そして前記第２の識別子は、ＭＣＣとＭＮＣとのうちの少なくとも一方を含む、付記２７に記載の装置。
付記２９
前記第１のグループは、３ＧＰＰ２アクセス技術とＷｉＭａｘアクセス技術とのうちの一方を含み、そして前記第２のグループは、３ＧＰＰアクセス技術を含む、付記２６に記載の装置。
付記３０
前記第１の検索データベースは、少なくとも１つのＰＬＭＮリストを含み、そして前記第２の検索データベースは、ＰＲＬを含む、付記２６に記載の装置。
付記３１
コンピュータに、前記複数のうちの第１のグループの無線システムアクセス技術に関連するアクセス技術に関する識別情報を前記複数のうちの第２のグループの無線システムアクセス技術に関連するアクセス技術の優先順位に関する第１の検索データベースに記憶するようにさせるためのコードと、
コンピュータに、前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するようにさせるためのコードと、
を備えるコンピュータ可読媒体、
を備えるコンピュータプログラムプロダクト。
付記３２
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、付記３１に記載のコンピュータプログラムプロダクト。
付記３３
前記第１の検索データベースは、ＰＲＬとＰＬＭＮリストとのうちの一方を含む、付記３１に記載のコンピュータプログラムプロダクト。
付記３４
前記識別情報は、前記第１のグループの無線システムアクセス技術が、前記無線デバイスによってサポートされるかどうかに関する少なくとも情報を含む、付記３１に記載のコンピュータプログラムプロダクト。
付記３５
前記識別情報は、前記無線デバイスによってサポートされる前記第１のグループの無線システムアクセス技術内の１つまたは複数の無線アクセス技術に関する情報、をさらに含む、付記３４に記載のコンピュータプログラムプロダクト。
付記３６
前記コンピュータ可読媒体は、
コンピュータに、前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するようにさせるためのコードと、
コンピュータに、前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するようにさせるためのコードと、
をさらに備え、選択は、前記第１の検索データベースに記憶される少なくとも前記識別情報に基づいて前記第１の検索データベースを使用して実行される、付記３１に記載のコンピュータプログラムプロダクト。
付記３７
前記コンピュータ可読媒体は、
コンピュータに、前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するようにさせるためのコードと、なお前記第２の識別子は、前記決定された好ましいシステムアクセス技術に関連する前記第２のグループのシステムアクセス技術によって使用可能である；
コンピュータに、前記マッピングテーブルの前記調査から決定される前記第２の識別子にさらに基づいて前記第１の検索データベースから前記好ましい無線通信システムアクセス技術を選択するようにさせるためのコードと；
をさらに備える、付記３６に記載のコンピュータプログラムプロダクト。
付記３８
前記第１の識別子は、ＳＩＤとＮＩＤとのうちの少なくとも一方を含み、そして前記第２の識別子は、ＭＣＣとＭＮＣとのうちの少なくとも一方を含む、付記３７に記載のコンピュータプログラムプロダクト。
付記３９
前記第１のグループは、３ＧＰＰ２アクセス技術とＷｉＭａｘアクセス技術とのうちの一方を含み、そして前記第２のグループは、３ＧＰＰアクセス技術を含む、付記３６に記載のコンピュータプログラムプロダクト。
付記４０
前記第１の検索データベースは、少なくとも１つのＰＬＭＮリストを含み、そして前記第２の検索データベースは、ＰＲＬを含む、付記３６に記載のコンピュータプログラムプロダクト。
付記４１
無線デバイスによってサポートされる複数の無線システムアクセス技術から無線通信システムアクセス技術を選択するための装置であって、
前記複数のうちの第１のグループの無線システムアクセス技術に関連するアクセス技術に関する識別情報を前記複数のうちの第２のグループの無線システムアクセス技術に関連するアクセス技術の優先順位に関する第１の検索データベースに記憶するための手段と、
前記第１の検索データベースに記憶される少なくとも前記識別情報に基づいて前記第１のグループの無線システムアクセス技術と前記第２のグループの無線システムアクセス技術とのうちの一方から好ましい無線通信システムアクセス技術を選択するための手段と、
を備える装置。
付記４２
前記第１のグループは、３ＧＰＰアクセス技術と３ＧＰＰ２アクセス技術とのうちの一方を含み、そして前記第２のグループは、３ＧＰＰアクセス技術と３ＧＰＰ２アクセス技術とのうちの他方を含む、付記４１に記載の装置。
付記４３
前記第１の検索データベースは、ＰＲＬとＰＬＭＮリストとのうちの一方を含む、付記４１に記載の装置。
付記４４
前記識別情報は、前記第１のグループの無線システムアクセス技術が、前記無線デバイスによってサポートされるかどうかに関する少なくとも情報を含む、付記４１に記載の装置。
付記４５
前記識別情報は、前記無線デバイスによってサポートされる前記第１のグループの無線システムアクセス技術内の１つまたは複数の無線アクセス技術に関する情報、をさらに含む、付記４４に記載の装置。
付記４６
前記好ましいシステムアクセス技術が、前記無線デバイスの現在の地理的ロケーションについての前記第１のグループの無線システムアクセス技術から選択されることができるかどうかを決定するために、前記第１のグループの無線システムアクセス技術に関連するアクセス技術の優先順位に関する第２の検索データベースを検索するための手段と、
前記第２の検索データベースの前記検索が、前記好ましいシステムアクセス技術が前記第１のグループの無線システムアクセス技術から選択されることができることを決定するときに前記第１のグループの無線システムアクセス技術のうちの前記好ましい無線通信システムアクセス技術を選択するための手段と、
をさらに備え、前記第１の検索データベースに記憶される少なくとも前記識別情報に基づいて前記第１の検索データベースを使用して、選択することが実行される、付記４１に記載の装置。
付記４７
前記第１のグループの無線システムアクセス技術から選択されることができる前記好ましいシステムアクセス技術に関連する第２の識別子を決定するために、前記第１のグループの無線システムアクセス技術に関連する第１の識別子を前記第２のグループの無線システムアクセス技術に関連する第２の識別子にマッピングするマッピングテーブルを調査するための手段と、なお前記第２の識別子は、前記決定された好ましいシステムアクセス技術に関連する前記第２のグループのシステムアクセス技術によって使用可能である；
前記マッピングテーブルの前記調査から決定される前記第２の識別子にさらに基づいて前記第１の検索データベースから前記好ましい無線通信システムアクセス技術を選択するための手段と；
をさらに備える付記４６に記載の装置。
付記４８
前記第１の識別子は、ＳＩＤとＮＩＤとのうちの少なくとも一方を含み、そして前記第２の識別子は、ＭＣＣとＭＮＣとのうちの少なくとも一方を含む、付記４７に記載の装置。
付記４９
前記第１のグループは、３ＧＰＰ２アクセス技術とＷｉＭａｘアクセス技術とのうちの一方を含み、そして前記第２のグループは、３ＧＰＰアクセス技術を含む、付記４６に記載の装置。
付記５０
前記第１の検索データベースは、少なくとも１つのＰＬＭＮリストを含み、そして前記第２の検索データベースは、ＰＲＬを含む、付記４６に記載の装置。
【図１】
0005265775.tif 000002
【図２】
0005265775.tif 000003
【図３】
0005265775.tif 000004
【図４】
0005265775.tif 000005
【図５】
0005265775.tif 000006
【図６】
0005265775.tif 000007
【図７】
0005265775.tif 000008
【図８】
0005265775.tif 000009